【手続補正書】
【提出日】平成18年9月13日(2006.9.13)
【手続補正１】
【補正対象書類名】明細書
【補正対象項目名】特許請求の範囲
【補正方法】変更
【補正の内容】
【特許請求の範囲】
【請求項１】  出力経路内に置かれ、互いにかみ合う歯車から構成される作動可能な複数の歯車対を有し、この歯車対のうちの少なくとも１つが、残りの歯車対よりも大きい負荷で作動可能である、印刷機を駆動する伝動装置において、
より大きい負荷がかかる前記歯車対を構成する前記歯車（駆動ピニオン１１および駆動歯車５”）がハウジング（１３）内に収容されており、前記ハウジング（１３）の外部に残りの歯車（２’〜８’）が配置されていることを特徴とする、印刷機を駆動する伝動装置。
【請求項２】  前記歯車が、駆動ピニオン（１１）と、回転不能に互いに連結された同軸の２つの駆動歯車（５’、５”）とを含み、前記ハウジング（１３）が、前記駆動ピニオン（１１）と、該駆動ピニオン（１１）にかみ合う、前記２つの駆動歯車（５’、５”）のうちの第１の駆動歯車とを収容している、請求項１に記載の伝動装置。
【請求項３】  前記２つの駆動歯車（５，５”）のうちの第２の駆動歯車が、前記残りの歯車（２’〜８’）を含む歯車列の構成要素である、請求項２に記載の伝動装置。
【請求項４】  駆動用の伝動装置を備えた印刷機において、前記伝動装置が、請求項１〜３のいずれか１項に記載の構成を有していることを特徴とする、印刷機。
【手続補正２】
【補正対象書類名】明細書
【補正対象項目名】０００１
【補正方法】変更
【補正の内容】
【０００１】
【発明の属する技術分野】
本発明は、出力経路内に置かれ、互いにかみ合う歯車から構成された複数の歯車対を備え、この歯車対の少なくとも１つが、残りの歯車対よりも、大きい負荷で作動可能な伝動装置およびこれを備えた印刷機に関する。
【手続補正３】
【補正対象書類名】明細書
【補正対象項目名】０００３
【補正方法】変更
【補正の内容】
【０００３】
この歯車では、運転時に駆動ピニオンを介して供給される出力が、分岐して、一部が列内の前部にあるいくつかの印刷ユニットに供給され、また、一部が列内の後部にあるいくつかの印刷ユニットに供給される。この歯車および駆動ピニオンから構成される歯車対は、この場合、残りの歯車よりもさらに大きい負荷で作動可能である。
【手続補正４】
【補正対象書類名】明細書
【補正対象項目名】０００６
【補正方法】変更
【補正の内容】
【０００６】
【課題を解決するための手段】
この目的は、より大きい負荷がかかる歯車対を構成する各歯車が、ハウジング内に収容され、このハウジングの外側に残りの歯車が配置されていることにより達成される。
【手続補正５】
【補正対象書類名】明細書
【補正対象項目名】０００９
【補正方法】変更
【補正の内容】
【０００９】
図１に示されている、並列する印刷ユニット1.x、1.x+1〜1.x+4の概略図は、オフセット法により運転され、くわえづめ装置を備えた胴により、先行する各印刷ユニットから後続の各印刷ユニットへ枚葉紙を送る枚葉紙処理輪転印刷機の好適な例を表わしている。それにしたがって、各印刷ユニット1.x〜1.x+4は、図１に図示していないインキ装置と、湿式オフセット法による運転の場合における図示しない湿し装置と、版胴２、ゴムブランケット胴３、および圧胴４の形態の印刷ユニット胴とを含んでおり、印刷ユニット1.x〜1.x+4の前方の印刷ユニットと後続の印刷ユニットとの間には、前方の印刷ユニットの圧胴４から枚葉紙を受け取る第１の搬送胴５と、この第１の搬送胴５から枚葉紙を受け取る紙渡し胴６と、この紙渡し胴６から枚葉紙を受け取り各枚葉紙を後続の印刷ユニットの圧胴４へ渡す第２の搬送胴７とが、それぞれ配置されている。この場合、この第１および第２の搬送胴５、７と紙渡し胴６とによって構成される少なくとも１つの枚葉紙送り装置は、第２の搬送胴７が各枚葉紙の先行する前縁を後続の圧胴４へ渡す第１の運転状態から、第２の搬送胴７が枚葉紙を裏返しにした状態でその先行する後縁を後続の圧胴４へ渡す第２の運転状態へ、また、第２の運転状態から第１の運転状態へと切換え可能な反転装置として構成されることが好ましい。
【手続補正６】
【補正対象書類名】明細書
【補正対象項目名】００１２
【補正方法】変更
【補正の内容】
【００１２】
排紙胴８側ではくわえづめ装置９の方向転換ホイール１０を駆動するためだけに、かつ給紙胴側では分離装置を駆動するためだけに、チェーン駆動装置が備えられているのに対し、印刷ユニット胴を駆動するために、胴と、枚葉紙送り装置と、そのインキ装置ローラおよび湿し装置ローラの、摩擦によって駆動されない部分と、排紙胴と、給紙胴と、前置くわえづめ装置と、整列装置と、分離装置とには、本実施例では主に、互いにかみ合う複数の歯車によって示されている、関連する伝動装置が備えられている。
【手続補正７】
【補正対象書類名】明細書
【補正対象項目名】００１４
【補正方法】変更
【補正の内容】
【００１４】
これらの各シリンダー、すなわちこれらの各胴と、前述のようにこれらの胴に付属した歯車２’〜８’との間は回転不能に連結されており、この結果、図１に示されている概略図では、歯車２’〜８’の各々が、各シリンダー、すなわち各胴と同様に示されていることがわかる。
【手続補正８】
【補正対象書類名】明細書
【補正対象項目名】００１５
【補正方法】変更
【補正の内容】
【００１５】
前述した歯車の全体は、図１により示した例では、排紙用印刷ユニットとして構成された印刷ユニット1.x+4から、先行する全ての印刷ユニットにわたって延びる主経路と、圧胴４の１つを駆動する各々の歯車４’から分岐し、各ゴムフランケット胴３および各版胴２の形態の各印刷ユニット胴と、ここでは図示しないインキ装置ローラと、場合によっては湿し装置ローラとを駆動する側部経路を有する、連結された歯車列とを構成している。印刷ユニット1.x+4は、ここでは、排紙用印刷ユニットとして示されており、その理由は、印刷された枚葉紙の排紙に使われ、印刷ユニット1.x+4の圧胴４の歯車４’にかみ合う排紙胴８の歯車８’によって駆動されるくわえづめ装置９が、この印刷ユニットに接続されているからである。
【手続補正９】
【補正対象書類名】明細書
【補正対象項目名】００１６
【補正方法】変更
【補正の内容】
【００１６】
本例では、印刷ユニット1.x+2は、いわゆる駆動用印刷ユニットを構成しており、輪転印刷機を運転するための駆動力の供給は、印刷ユニット1.x+2に付属する歯車を介して、すなわちここでは第１の搬送胴５の１つを駆動する歯車５’を介して行われ、この歯車５’は、特に印刷ユニット1.x+2の圧胴４に付属した歯車４’と、さらに印刷ユニット1.x+3の方向へ印刷ユニット1.x+2に続いている紙渡し胴６に付属した歯車６’とにかみ合っている。
【手続補正１０】
【補正対象書類名】明細書
【補正対象項目名】００１９
【補正方法】変更
【補正の内容】
【００１９】
図２に示された実施形態によると、この別の駆動歯車５”は、図１には、出力の流れを分岐する、駆動用印刷ユニット1.x+2に付属する駆動歯車５と同じように示されているが、この駆動用印刷ユニットに付属する駆動歯車５’、５”と駆動ピニオン１１との間の前述の機能的な関連は図２から理解できる。これにより、この別の駆動歯車５”および駆動ピニオン１１から構成される歯車対は、輪転印刷機を駆動する伝動装置の内側で、明らかに、伝動装置の残りの歯車対よりもさらに大きい負荷がかかる歯車対である。これに応じて、残りの歯車がハウジング１３の外に配置される一方で、この別の駆動歯車５”および駆動ピニオン１１はハウジング１３内に収容されている。前述の歯車列を形成する残りの歯車については、図２には、駆動用印刷ユニット1.x+2に付属する一部のみが示されている。すなわち、第１の搬送胴５を駆動する駆動歯車５’の形態で、また、この駆動歯車５’にかみ合う、駆動用印刷ユニット1.x+2の圧胴４を駆動する歯車４’の形態で示されている。
【手続補正１１】
【補正対象書類名】明細書
【補正対象項目名】００２０
【補正方法】変更
【補正の内容】
【００２０】
わかりやすくするために、図２のみに示されているハウジングは、本例では、特に、印刷機のシリンダー、すなわち胴と前述の歯車列とが収容され、側壁１４によって支持されており、この場合、一方ではシリンダー、すなわち胴が、他方ではこの歯車列が、側壁１４の互いに対向する側に配置されている。
【手続補正１２】
【補正対象書類名】明細書
【補正対象項目名】００２１
【補正方法】変更
【補正の内容】
【００２１】
これらの図では図示されていないが、この歯車列のために、消費量を比較的少なくすることが可能な流動油（潤滑剤）が注入されており、この潤滑剤は、側壁によって構成される印刷ユニットのシリンダー、すなわち胴のカバーによって、シリンダー、すなわち胴から遠ざけられる。この歯車列の歯車対に対してより大きい負荷がかかっている、駆動ピニオン１１および別の駆動歯車５”により構成される歯車対の潤滑は、ハウジング１３内に油浴の形態で備えられた適切な潤滑油によって行われる。これに加えて、ハウジング１３は、公知の方法で、油を漏らさないように形成されており、この結果、伝動装置の潤滑のために、用意されている種々の潤滑剤は全て排除される。